(57)【特許請求の範囲】
【請求項１】
立面に複数の操作開口を備えたケースと、
前記ケース内に内蔵され、電気採暖具を操作する複数の操作機器と、
複数の前記操作機器を、前記操作開口を介して前記ケースの外部から操作する操作つまみと、を含み、
前記操作つまみは、前記操作開口に沿って所定範囲の操作位置に摺動可能とし、
前記操作つまみは、いずれの前記操作位置においても、前記操作開口を閉塞する閉塞部を一体に備え、
隣接する前記操作つまみが少なくとも相互に近接した前記操作位置においては、隣接する前記操作つまみの前記閉塞部は、一部が相互に重なり合った状態で配置される構成とし、
前記操作開口の少なくとも１つは、前記操作開口の一部をそれぞれ閉塞する２つの隣接する前記操作つまみの前記閉塞部を併用することにより前記操作開口の全体が閉塞されることを特徴とする、
電気採暖具のコントローラ。
【請求項２】
隣接する前記操作つまみの中心が最も近接する距離が、隣接する操作つまみのそれぞれの摺動距離を加えた距離より短いことを特徴とする、
請求項１に記載の電気採暖具のコントローラ。
【請求項３】
前記操作開口の内方には、前記ケースの底面より突起した防水壁が形成されている、
請求項１または２に記載の電気採暖具のコントローラ。
【発明の詳細な説明】
【技術分野】
【０００１】
本発明は、防水構造を備えた電気採暖具のコントローラに関するものである。
【背景技術】
【０００２】
従来、この種の電気採暖具のコントローラは、コントローラのケースの側面にスリット状の操作開口を設け、操作開口を介して操作つまみをケース内部に挿入し、ケース内部に設置したスイッチやスライド抵抗等の操作機材を操作つまみで操作する構成とし、ケース外面の操作開口より下方の立ち上がり部を曲面で形成し、上方より落下した水が操作開口の方向に跳ね返らない構成とすることにより、コントローラのケース内部に水が侵入することを防止するようにしている（例えば、特許文献１参照）。
【０００３】
図１４（ａ）は、特許文献１に記載された従来の電気採暖具のコントローラの外観斜視図を示し、（ｂ）は（ａ）に示すＣＣ断面図を示し、（ｃ）は（ａ）示すＤＤ断面図を示すものである。
【０００４】
図１４（ａ）に示すように、電気採暖具のコントローラ１はケース２の側面にスリット状の操作開口３が設けてあり、操作つまみ４を操作開口３からケース２の内部に挿入している。操作開口３より下方のケース２の外面には曲面部２ａが形成されている。
【０００５】
図１４（ｂ）に示すように、操作つまみ４が挿入されている部分は、操作開口３は操作つまみ４により、ほぼ閉塞されている。また、図１４（ｃ）に示すように操作つまみ４が配置されていない部分は操作開口３が開放状態であるが、コントローラ１の上方より曲面部２ａに落下した水は図１４（ｃ）の矢印に示すように操作開口３とは反対の方向に飛び跳ねるため、操作開口３には進入しにくい構成となっている。
【０００６】
また、別のコントローラでは、操作開口の内側に遮蔽壁を設け、ケースの開口上辺の下端より遮蔽壁の上端が上方になるように配置することにより、操作開口からの浸水を防止しているものもある（例えば、特許文献２参照）。
【０００７】
図１５は、特許文献２に記載された従来の電気採暖具のコントローラの断面図を示すものである。図１５に示すように、コントローラ５はケース６の開口上辺６ａの下方に操作開口７が開口しており、操作開口７の内部に遮蔽壁８が設置されている。遮蔽壁８の上端は開口上辺６ａの下端より高い位置に配置されており、操作開口７を介してケース６の外部と内部とは、水平方向においては遮蔽された構成となっている。操作つまみ９は開口上辺６ａの下端と遮蔽壁８の上端を乗り越えるように蛇行した断面形状に形成し、コントローラ５の内部に配置されたスイッチやスライド抵抗等の操作機材と連接されている。
【先行技術文献】
【特許文献】
【０００８】
【特許文献１】特開平４−３４００２８号公報
【特許文献２】特開平４−２７４１８６号公報
【発明の概要】
【発明が解決しようとする課題】
【０００９】
しかしながら、前記従来の構成では、少量の水に対しては防水機能を発揮することは可能であるが、大量の水を掛けられた場合や、操作開口の横方向から水を掛けられた場合には十分な防水機能を発揮することができず改良の余地があった。
【００１０】
本発明は、前記従来の課題を解決するもので、操作開口にいずれの方向から水を掛けられた場合にも十分な防水効果を発揮することができる安全性の高い電気採暖具のコントローラを提供することを目的とする。
【課題を解決するための手段】
【００１１】
前記従来の課題を解決するために、本発明の電気採暖具のコントローラは、立面に操作開口を備えたケースと、ケース内に内蔵され、電気採暖具を操作する複数の操作機器と、複数の操作機器を、操作開口を介してケースの外部から操作する操作つまみとを含み、操作つまみは、操作開口に沿って所定範囲の操作位置に摺動可能とし、操作つまみは、いずれの操作位置においても、操作開口を閉塞する閉塞部を一体に備え、隣接する操作つまみが少なくとも相互に近接した操作位置においては、隣接する操作つまみの閉塞部は、一部が相互に重なり合った状態で配置される構成とし、操作開口の少なくとも１つは、前記操作開口の一部をそれぞれ閉塞する２つの隣接する前記操作つまみの前記閉塞部を併用することにより前記操作開口の全体が閉塞されることを特徴とする電気採暖具のコントローラである。
【００１２】
これによって、操作つまみがいずれの操作位置にある場合でも、操作開口は１つまたは２つの閉塞部で閉塞され、操作開口を介して外部からコントローラ部への水の浸入を防止することができる、しかも操作つまみ同士が近接した場合には閉塞部が相互に重なり合うため、複数の操作機器と操作つまみを近接して配置することが可能となり、コントローラを小型化することが可能となる。
【発明の効果】
【００１３】
本発明の電気採暖具のコントローラは、外部から水の進入を防止する防水効果を備え、安全性の高い電気採暖具を提供することができる。
【図面の簡単な説明】
【００１４】
【図１】本発明の実施の形態１における電気採暖具の外観を示す斜視図
【図２】本発明の実施の形態１におけるコントローラの外観を示す斜視図
【図３】本発明の実施の形態１におけるコントローラの上ケースの下面図
【図４】本発明の実施の形態１におけるコントローラの下ケースの平面図
【図５】本発明の実施の形態１におけるコントローラの操作部の内部示す斜視図
【図６】本発明の実施の形態１におけるスイッチ操作つまみの斜視図
【図７】本発明の実施の形態１におけるスイッチ操作部の断面図
【図８】本発明の実施の形態１における第１抵抗操作つまみの斜視図
【図９】本発明の実施の形態１における第１抵抗操作部の断面図
【図１０】本発明の実施の形態１における第２抵抗操作つまみの斜視図
【図１１】本発明の実施の形態１における第２抵抗操作部の断面図
【図１２】本発明の実施の形態１におけるコントローラの第１抵抗操作つまみと第２抵抗操作つまみ最も近接した状態を示す下面図
【図１３】本発明の実施の形態１におけるコントローラの第１抵抗操作つまみと第２抵抗操作つまみ最も離れた状態を示す下面図
【図１４】（ａ）は特許文献１に記載された従来の電気採暖具のコントローラの外観斜視図、（ｂ）は（ａ）に示すＣＣ断面図、（ｃ）は（ａ）に示すＤＤ断面図
【図１５】特許文献２に記載された従来の電気採暖具のコントローラの断面図
【発明を実施するための形態】
【００１５】
第１の発明は、立面に操作開口を備えたケースと、前記ケース内に内蔵され、電気採暖具を操作する複数の操作機器と、複数の前記操作機器を、前記操作開口を介して前記ケースの外部から操作する操作つまみと、を含み、前記操作つまみは、前記操作開口に沿って所定範囲の操作位置に摺動可能とし、前記操作つまみは、いずれの前記操作位置においても、前記操作開口を閉塞する閉塞部を一体に備え、隣接する前記操作つまみが少なくとも相互に近接した前記操作位置においては、隣接する前記操作つまみの前記閉塞部は、一部が相互に重なり合った状態で配置される構成とし、前記操作開口の少なくとも１つは、前記操作開口の一部をそれぞれ閉塞する２つの隣接する前記操作つまみの前記閉塞部を併用することにより前記操作開口の全体が閉塞されることを特徴とする電気採暖具のコントローラである。
【００１６】
これにより、操作つまみがいずれの操作位置にある場合でも、操作開口は１つまたは２つの閉塞部で閉塞され、操作開口を介して外部からコントローラ部への水の浸入を防止することができる。しかも操作つまみ同士が近接した場合には閉塞部が相互に重なり合うため、複数の操作機器と操作つまみを近接して配置することが可能となり、コントローラを小型化することが可能となる。
【００１７】
第２の発明は、特に第１の発明において、隣接する前記操作つまみの中心が最も近接する距離が、隣接する操作つまみのそれぞれの摺動距離を加えた距離より短いことを特徴とするものである。
【００１８】
これにより、複数の操作つまみは近接して配置されるため、コントローラを小型化することが可能となる。
【００１９】
第３の発明は、第１または第２の発明において、前記操作開口の内方に、前記ケースの底面より突起した防水壁が形成されているものである。
【００２０】
これにより、たとえ操作開口と閉塞部との僅かな隙間から水が浸入した場合でも防水壁により奥に侵入することが防止され、より確実に防水効果を発揮することができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における電気採暖具の外観を示す斜視図である。図２は電気採暖具のコントローラの外観を示す斜視図である。
【００２３】
＜１＞電気採暖具の構成
図１に示すように、電気採暖具１００は複数のシート状の部材で構成した略長方形の本体１１０の角部にコントローラ２００が配設されており、コントローラの右側面には電気採暖具１００に電源を供給する電源コード１２０が接続されている。コントローラ２００に接続した電源コード１２０で電力を供給することにより本体１１０を加熱し、住宅の床面に設置して使用する採暖具である。
【００２４】
電気採暖具１００の本体１１０は、表面材１１１とヒータユニット（図示せず）と断熱シート（図示せず）と裏面材（図示せず）等を主な構成部材とする積層体で構成されている。
【００２５】
ヒータユニットは、電気採暖具１００の発熱源であり、アルミニュームを主成分とする均熱シート（図示せず）の片面にヒータ線を（図示せず）蛇行形状に配設して接着固定したものである。
【００２６】
均熱シートは、ヒータ線で発熱した熱を本体１１０全面に均一に拡散する目的の部材であり、熱伝導率が高い金属シートであるアルミニュームを主成分とする厚さ約０．０１ｍｍのアルミシートである。
【００２７】
ヒータ線は、中心のガラス繊維（図示せず）の周囲に温度を検知する検知線（図示せず）を螺旋状に巻回し、その外周にナイロン樹脂で絶縁層（図示せず）を形成し、絶縁層の外周に発熱線（図示せず）を螺旋状に巻回し、その外周にＰＶＣの絶縁層（図示せず）を形成し、絶縁層の外周にポリエチレン樹脂による接着層（図示せず）を形成したものである。
【００２８】
ヒータユニットは図１に示すように加熱範囲をエリアＡとエリアＢの２つのエリアに分かれて配置されており、それぞれ本体１１０の約１／２の面積を加熱する。２つのエリアは別々に制御されており、両方のエリアの加熱と、どちらか一方のエリアのみの加熱と、エリア毎の温度設定をコントローラ２００により選択的に操作することができる。
【００２９】
本体１１０の角部に設置したコントローラ２００には電源コード１２０とヒータユニットの発熱線と検知線が接続されており、ヒータユニットへの電源の「入」、「切」の操作機能と、使用するエリアの切替機能と、エリア毎の温度設定機能と、エリア毎の通電状態を表示する表示機能を備えている。
【００３０】
＜２＞コントローラの構成
図２は電気採暖具のコントローラの外観を示す斜視図であり、図３はコントローラの上ケースの操作部の下面図を示すものであり、図４はコントローラの下ケースの操作部の平面図を示すものであり、図５はコントローラの操作部の内部を示す斜視図であり、図６はスイッチ操作つまみの斜視図であり、図７はスイッチ操作部の断面図であり、図８は第１抵抗操作つまみの斜視図であり、図９は第２抵抗操作つまみの斜視図であり、図１０は第２抵抗操作つまみの斜視図であり、図１１は第２抵抗操作部の断面図を示すものである。
【００３１】
図２に示すように、コントローラ２００の前面と上面との角部には操作部２０１が設置されており、操作部２０１には電気採暖具１００の電源の「入」、「切」を操作するスイッチ操作つまみ２１０と、エリアＡの温度設定を行う第１抵抗操作つまみ２２０と、エリ
アＢの温度設定を行う第２抵抗操作つまみ２３０が横方向に摺動可能に配置されている。
【００３２】
また、コントローラ２００の上面にはエリアの切り替えを行う切り替えスイッチ２０７とエリア毎の通電状態を示す表示部２０２が配置されている。切り替えスイッチ２０７をプッシュ操作することにより、加熱範囲を「エリアＡ」、「エリアＢ」、「全面」に順次切替えることができ、表示部２０２はエリアＡに対応する表示ランプ２０２ａと、エリアＢに対応する表示ランプ２０２ｂが配置されている。
【００３３】
コントローラ２００は樹脂材料で成型されたケース３００の内部に、電気採暖具１００の電源を「入」、「切」する操作機器であるプッシュタイプの電源スイッチ２０３と、エリアＡの発熱温度の設定を調節する操作機器である第１スライド抵抗２０４と、エリアＢの発熱温度の設定を調節する操作機器である第２スライド抵抗２０５と、エリアを切り替える切り替えスイッチ２０７と、検知線の検知データに基づき発熱線の通電を制御する制御部（図示せず）等が配置された制御基板２０６等が内蔵されている。電源スイッチ２０３は上面に突出した操作片２０３ａを下方に押し下げることにより接点が接続され電源が「入」状態となるプッシュタイプのマイクロスイッチを採用している。
【００３４】
なお、本実施の形態においては図２に示すように表示部２０２を配置した上面の側を上方とし、スイッチ操作つまみ２１０と第１抵抗操作つまみ２２０と第２抵抗操作つまみ２３０とを配置した前面の側を前方とし、反対方向を後方し、前方から後方に向かって右側を右側、後方に向かって左側を左側として各構成要素の配置を説明する。
【００３５】
ケース３００は略箱形状の上ケース３１０と略平板状の下ケース３２０をねじにより結合させて内部に空洞部が形成される構成となっている。
【００３６】
上ケース３１０は下面が開口の箱形状であり、略鉛直な立面をなす前面と略水平な上面との角部に形成された操作部２０１は、上面と前面が他の部分より凹陥して形成されている。
【００３７】
操作部２０１の上面の後端部には摺動溝３１１が形成されており、スイッチ操作つまみ２１０と第１抵抗操作つまみ２２０と第２抵抗操作つまみ２３０の後端部に形成された係止部２１１、２２１、２３１を挿入することにより、スイッチ操作つまみ２１０と第１抵抗操作つまみ２２０と第２抵抗操作つまみ２３０の上ケース３１０からの脱落防止とスムーズな摺動が可能な構成となっている。
【００３８】
また、操作部２０１の前面壁の下端には略長方形の３つの切り欠き部が形成されており、上ケース３１０と下ケース３２０を接合することにより、接合部に略長方形のスイッチ操作開口３１２と第１抵抗操作開口３１３と第２抵抗操作開口３１４が形成される構成となっている。
【００３９】
図３に示すように、上ケース３１０の内部には、操作部２０１の後方に前面壁から所定の間隔で前面壁と平行な３個のリブが形成されている。リブは第１抵抗操作つまみ２２０の摺動範囲に設けられた第１抵抗リブ３１５と、第２抵抗操作つまみ２３０の摺動範囲に設けられた第２抵抗リブ３１６と、操作部２０１の全体に亘って設けられた摺動リブ３１７であり、第１抵抗リブ３１５と第２抵抗リブ３１６とは上ケース３１０の前面壁と摺動リブ３１７の間に設けられている。
【００４０】
摺動リブ３１７の後面には、スイッチ操作つまみ２１０の摺動範囲に対応する部分は前後に２重に配設されており、後方のリブに２個の突起３１８が設けられており、スイッチ操作つまみ２１０の摺動時にクリック感を発生させるために使用される。
【００４１】
図４に示すように、下ケース３２０は略長方形の平板状であり、周縁には上ケースと接合する外周壁が形成されるとともに、操作部２０１に対応する部分には上面が平坦な摺動面３２１が形成されており、摺動面３２１に沿ってスイッチ操作つまみ２１０と第１抵抗操作つまみ２２０と第２抵抗操作つまみ２３０がスムーズに摺動可能な構成となっている。
【００４２】
また摺動面３２１の後方には所定の間隔で前面と平行に上方に突起した防水リブ３２２が一体に成型されており、スイッチ操作開口３１２と第１抵抗操作開口３１３と第２抵抗操作開口３１４から進入した水がコントローラ２００内部に流入することを防止する構成となっている。
【００４３】
図５に示すように、上ケース３１０の操作部２０１には、スイッチ操作つまみ２１０と第１抵抗操作つまみ２２０と第２抵抗操作つまみ２３０が、それぞれの操作つまみを形成している樹脂材料の弾性を利用して係止されている。
【００４４】
図６に示すように、スイッチ操作つまみ２１０は樹脂材料により一体で成型されたものである。スイッチ操作つまみ２１０は、上ケース３１０の外面に配置される本体部２１２と、本体部２１２の下端から後方に向かって屈曲させながら延設され電源スイッチ２０３に連接される連接部２１３と、連接部２１３の途中に配置され左右に延設された平面でスイッチ操作開口３１２を閉塞する閉塞部２１４と、連接部２１３の途中に配置され左右に延設した平面で上ケース３１０の摺動リブ３１７と相互に摺動する摺動部２１５が設けられ、摺動部２１５の両端部に略半円柱状に形成された突起部２１６が形成されており、樹脂材料の弾性を利用して摺動リブ３１７に設けられた突起３１８に対応してクリック感を発生させることができる構成となっている。閉塞部２１４は上ケース３１０の前面壁の内方に近接して配置され、スイッチ操作開口３１２を閉塞する。
【００４５】
連接部２１３の後端部には下面の一部が傾斜面を備えた連動部２１８が形成されており、スイッチ操作つまみ２１０が横方向に摺動することにより電源スイッチ２０３の操作片２０３ａを傾斜面に沿って押し下げるおよび復帰させることにより電源スイッチ２０３の「入」、「切」の操作が行われる構成となっている。
【００４６】
本体部２１２の中央部には操作時に指を掛ける操作突起２１７と本体部２１２の後端部には上ケース３１０に形成された摺動溝３１１に挿入する係止部２１１が一体で形成されている。
【００４７】
また閉塞部２１４と摺動部２１５はスイッチ操作つまみ２１０の両側方向に上ケース３１０の前面壁と平行な平板を延出するように設けられており、閉塞部２１４および摺動部２１５の幅寸法はスイッチ操作つまみ２１０が摺動する距離の２倍と本体部２１２の幅を加えた寸法以上を備えている。
【００４８】
図７に示すように、上記構成のスイッチ操作つまみ２１０は、本体部２１２は上ケース３１０に形成された操作部２０１の外面の曲面に沿うように配置され、本体部２１２の後端部に形成された係止部２１１が摺動溝３１１に挿入されている。スイッチ操作つまみ２１０は上ケース３１０の前面壁を包み込むようにスイッチ操作開口３１２から上方に回り込み、前方にはスイッチ操作開口３１２を閉塞する閉塞部２１４が配置されており、後方には上ケース３１０の摺動リブ３１７に沿って摺動部２１５が配置されている。
【００４９】
摺動部２１５の後方に延伸した連接部２１３の後端部に設けられた連動部２１８の傾斜面には、制御基板２０６に固定された電源スイッチ２０３の操作片２０３ａが当設してお
り、スイッチ操作つまみ２１０を左右に移動させることにより、電源スイッチを「入」、「切」することができる。
【００５０】
図８に示すように、第１抵抗操作つまみ２２０は樹脂材料により一体で成型されたものである。第１抵抗操作つまみ２２０は、上ケース３１０の外面に配置される本体部２２２と、本体部２２２の下端から後方に向かって屈曲させながら延設され第１スライド抵抗２０４に連接される連接部２２３と、連接部２２３の途中に配置され左右に延設された平面で第１抵抗操作開口３１３を閉塞する閉塞部２２４と、連接部２２３の途中に配置され左右に延設して設けられ下ケース３２０の防水リブ３２２に沿って摺動する摺動部２２５が一体で形成されている。
【００５１】
連接部２２３の後端部には第１スライド抵抗２０４の操作片２０４ａを嵌入する嵌合凹部２２６が設けられており第１抵抗操作つまみ２２０と第１スライド抵抗２０４が連接可能な構成となっている。
【００５２】
本体部２２２の中央部には操作時に指を掛ける操作突起２２７と本体部２２２の後端部には上ケース３１０に形成された摺動溝３１１に挿入する係止部２２１が一体で形成されている。また閉塞部２２４は第１抵抗操作つまみ２２０の両側方向に上ケース３１０の前面壁と平行な平板を延出するように設けられており、閉塞部２２４の全幅寸法は第１スライド抵抗２０４の操作片２０４ａが摺動する距離の２倍と本体部２２２の幅を加えた寸法以上を備えている。
【００５３】
図９に示すように、上記構成の第１抵抗操作つまみ２２０は、本体部２２２は上ケース３１０に形成された操作部２０１の外面の曲面に沿うように配置され、本体部２２２の後端部に形成された係止部２２１が摺動溝３１１に挿入されている。第１抵抗操作つまみ２２０は上ケース３１０の前面壁と第１抵抗リブ３１５を包み込むように第１抵抗操作開口３１３から第１抵抗リブ３１５に沿って上方に回り込み、閉塞部２２４は上部が第１抵抗リブ３１５に当接するとともに下部は第１抵抗操作開口３１３を閉塞するように配置されている。
【００５４】
下ケース３２０の防水リブ３２２の後方には摺動部２２５が配置されており第１抵抗操作つまみ２２０を上ケース３１０の前面壁と第１抵抗リブ３１５と防水リブ３２２で狭持している。
【００５５】
連接部２２３の後端部に設けられた嵌合凹部２２６には、制御基板２０６上に固定された第１スライド抵抗２０４の操作片２０４ａが嵌入されており、第１抵抗操作つまみ２２０を左右に移動させることにより、第１スライド抵抗２０４の抵抗値を変化させることで、電気採暖具１００のエリアＡの温度設定を調節することができる。
【００５６】
図１０に示すように、第２抵抗操作つまみ２３０は樹脂材料により一体で成型されたものである。第２抵抗操作つまみ２３０は、上ケース３１０の外面に配置される本体部２３２と、本体部２３２の下端から後方に向かって屈曲させながら延設され第２スライド抵抗２０５に連接される連接部２３３と、連接部２３３の途中に配置され左右に延設された平面で第２抵抗操作開口３１４を閉塞する閉塞部２３４と、連接部２３３の途中に配置され左右に延設して設けられ下ケース３２０の防水リブ３２２に沿って摺動する摺動部２３５が一体で形成されている。
【００５７】
連接部２３３の後端部には第２スライド抵抗２０５の操作片２０５ａを嵌入する嵌合凹部２３６が設けられており第２抵抗操作つまみ２３０と第２スライド抵抗２０５が連接可能な構成となっている。
【００５８】
本体部２３２の中央部には操作時に指を掛ける操作突起２３７と本体部２３２の後端部には上ケース３１０に形成された摺動溝３１１に挿入する係止部２３１が一体で形成されている。また閉塞部２３４は第２抵抗操作つまみ２３０の両側方向に上ケース３１０の前面壁と平行な平板を延出するように設けられており、閉塞部２３４の全幅寸法は第２スライド抵抗２０５の操作片２０５ａが摺動する距離の２倍と本体部２３２の幅を加えた寸法以上を備えている。
【００５９】
図１１に示すように、上記構成の第２抵抗操作つまみ２３０は、本体部２３２は上ケース３１０に形成された操作部２０１の外面の曲面に沿うように配置され、本体部２３２の後端部に形成された係止部２３１が摺動溝３１１に挿入されている。第２抵抗操作つまみ２３０は上ケース３１０の前面壁と第２抵抗リブ３１６を包み込むように第２抵抗操作開口３１４から第２抵抗リブ３１６に沿って上方に回り込み、閉塞部２３４は上部が第２抵抗リブ３１６に当接するとともに下部は第２抵抗操作開口３１４を閉塞するように配置されている。
【００６０】
下ケース３２０の防水リブ３２２の後方には摺動部２３５が配置されており第２抵抗操作つまみ２３０を上ケース３１０の前面壁と第２抵抗リブ３１６と防水リブ３２２で狭持している。
【００６１】
連接部２３３の後端部に設けられた嵌合凹部２３６には、制御基板２０６上に固定された第２スライド抵抗２０５の操作片２０５ａが嵌入されており、第２抵抗操作つまみ２３０を左右に移動させることにより、第２スライド抵抗２０５の抵抗値を変化させることで、電気採暖具１００のエリアＢの温度設定を調節することができる。
【００６２】
＜３＞コントローラの動作および作用
図１２は、スイッチ操作つまみ２１０と第１抵抗操作つまみ２２０と第２抵抗操作つまみ２３０を上ケース３１０に設置した状態で、スイッチ操作つまみ２１０は電源が「入」の状態である右端の操作位置にあり、第１抵抗操作つまみ２２０は設定温度が最低の設定である左端の操作位置にあり、第２抵抗操作つまみ２３０は設定温度が最高の設定である右端の操作位置にある状態を示す上ケース３１０の下面図を示すものである。
【００６３】
図１３は、スイッチ操作つまみ２１０と第１抵抗操作つまみ２２０と第２抵抗操作つまみ２３０を上ケース３１０に設置した状態で、スイッチ操作つまみ２１０は電源が「入」の状態である右端の操作位置にあり、第１抵抗操作つまみ２２０は設定温度が最高の設定である右端の操作位置にあり、第２抵抗操作つまみ２３０は設定温度が最低の設定である左端の操作位置にある状態を示す上ケース３１０の下面図を示すものである。
【００６４】
図１２に示す操作位置は、第１抵抗操作つまみ２２０と第２抵抗つまみ２３０が最も近接した状態を示すものである。図に示すように、スイッチ操作開口３１２の全面はスイッチ操作つまみ２１０の閉塞部２１４の左側部分で全面を閉塞されている。第１抵抗操作開口３１３は第１抵抗操作つまみ２２０の閉塞部２２４の右側部分と第２抵抗操作つまみ２３０の閉塞部２３４の右側の一部で閉塞されている。また、第２抵抗操作開口３１４は第２抵抗操作つまみ２３０の閉塞部２３４の左側部分で全面を閉塞されている。
【００６５】
第１抵抗操作つまみ２２０の閉塞部２２４と第２抵抗操作つまみ２３０の閉塞部２３４は多くの部分で前後に重なり合った状態である。２枚の閉塞部が重なり合うことにより、第１抵抗操作開口３１３の左端部における前後方向の隙間を完全に閉塞しており、第１抵抗操作開口３１３からコントローラ２００内部への水の浸入を防止することができる。
【００６６】
また、第１抵抗操作つまみ２２０と第２抵抗操作つまみ２３０がこの状態で、スイッチ操作つまみ２１０を左側に移動させたときは、スイッチ操作開口３１２は閉塞部２１４の右側部分で全面を閉塞することが可能である。
【００６７】
図１３に示す操作位置は、第１抵抗操作つまみ２２０と第２抵抗操作つまみ２３０が最も離れた状態を示すものである。図に示すように、スイッチ操作開口３１２はスイッチ操作つまみ２１０の閉塞部２１４の左側部分で全面を閉塞されている。第１抵抗操作開口３１３は第１抵抗操作つまみ２２０の閉塞部２２４の左側部分と第２抵抗操作つまみ２３０の閉塞部２３４の右端部での全面を閉塞されている。また、第２抵抗操作開口３１４は第２抵抗操作つまみ２３０の閉塞部２３４の左側部分での全面を閉塞されている。
【００６８】
図１３に示すように、第１抵抗操作つまみ２２０の閉塞部２２４の左端部と第２抵抗操作つまみ２３０の閉塞部２３４の右端部が第１抵抗操作開口３１３左側端部で前後に重なり合った状態となっている。２枚の閉塞部が重なり合うことにより、第１抵抗操作開口３１３の左端部における前後方向の隙間を完全に閉塞しており、第１抵抗操作開口３１３からコントローラ２００内部への水の浸入を防止することができる。
【００６９】
また、第１抵抗操作つまみ２２０と第２抵抗操作つまみ２３０がこの状態で、スイッチ操作つまみ２１０を左側に移動させたときは、スイッチ操作開口３１２は閉塞部２１４の右側部分で全面を閉塞することが可能である。
【００７０】
上記のように、スイッチ操作開口３１２と第２抵抗操作開口３１４は、それぞれの開口で操作するスイッチ操作つまみ２１０の閉塞部２１４と第２抵抗操作つまみ２３０の閉塞部２３４のみで閉塞されているが、第１抵抗操作開口３１３は第１抵抗操作つまみ２２０の閉塞部２２４に加え第２抵抗操作つまみ２３０の閉塞部２３４を併用して閉塞している。
【００７１】
また、スイッチ操作つまみ２１０と第１抵抗操作つまみ２２０と第２抵抗操作つまみ２３０がいずれの操作位置にある場合も、スイッチ操作開口３１２と第１抵抗操作開口３１３と第２抵抗操作開口３１４は閉塞された状態となっていることが示されている。
【００７２】
また、図１２に示す第１抵抗操作つまみ２２０と第２抵抗操作つまみ２３０とが最も近接した状態でのそれぞれの中心間の距離Ｗ１は２０ｍｍである。また図１３に示す第１抵抗操作つまみ２２０と第２抵抗操作つまみ２３０が最も離れた状態でのそれぞれの中心間の距離Ｗ２は６０ｍｍである。
【００７３】
第１抵抗操作つまみ２２０の摺動距離をＤ１とし、第２抵抗操作つまみ２３０の摺動距離をＤ２とした場合、Ｄ１＋Ｄ２＝Ｗ２−Ｗ１の関係となり、Ｄ１＋Ｄ２は４０ｍｍとなる。操作つまみの摺動距離Ｄ１およびＤ２は第１スライド抵抗２０４と第２スライド抵抗２０５の可動距離に等しい。
【００７４】
通常の構成で第１抵抗操作つまみ２２０の閉塞部２２４と第２抵抗操作つまみ２３０の閉塞部２３４が相互に重なり合わない構成の場合、第１抵抗操作つまみ２２０と第２抵抗操作つまみ２３０が最も近接した場合の中心間の距離はＤ１＋Ｄ２であり、本実施の形態に使用した第１スライド抵抗２０４と第２スライド抵抗２０５を使用した場合４０ｍｍ以上となる。
【００７５】
それに対して本実施の形態の閉塞部が相互に重なり合う構成とすることにより、第１抵抗操作つまみ２２０と第２抵抗操作つまみ２３０が最も近接する距離Ｗ１は２０ｍｍであり、閉塞部が重なり合う構成とすることが、コントローラ２００を小型化するために有効
な構成となっている。
【００７６】
上記のように、本実施の形態の構成においては、スイッチ操作つまみ２１０と第１抵抗操作つまみ２２０と第２抵抗操作つまみ２３０がいずれの操作位置にある場合でも、スイッチ操作つまみ２１０の閉塞部２１４と第１抵抗操作つまみ２２０の閉塞部２２４と第２抵抗操作つまみ２３０の閉塞部２３４でそれぞれの操作開口の全面を閉塞することが可能であり、コントローラ２００の前面から飛び跳ねるように掛けられた水が、操作開口からコントローラ２００内部に浸入することを防止することができ、防水機能を備えたコントローラを小型で実施することができ、安全性の高いコントローラを提供することができる。
【００７７】
また、操作開口の後方には下ケース３２０と一体に形成された防水リブ３２２が配置されており、スイッチ操作つまみ２１０の閉塞部２１４と第１抵抗操作つまみ２２０の閉塞部２２４と第２抵抗操作つまみ２３０の閉塞部２３４のそれぞれの下端部と下ケース３２０の摺動面３２１との間からしみ込んだ水がコントローラ２００の内部に進入することを防止することができる。
【００７８】
また、スイッチ操作つまみ２１０を「入」、「切」操作した場合、スイッチ操作つまみ２１０の突起部２１６が上ケース３１０の摺動リブ３１７に設けられた突起３１８を乗り越えることにより操作中にクリック感を得ることができスイッチの「入」、「切」を感覚的に認知することができるとともに、不用意にスイッチが「入」または「切」なることを防止することができ安全性を向上することができる。
【００７９】
また、スイッチ操作つまみ２１０と第１抵抗操作つまみ２２０と第２抵抗操作つまみのそれぞれの閉塞部の幅はそれぞれの本体の幅に比較して広い幅を備えており、それぞれの操作つまみの操作時の傾きを抑制することができるため、操作つまみをスムーズに操作できる。
【００８０】
なお、本実施の形態においては、コントローラ内に設置する操作機器としては電源スイッチと２個のスライド抵抗を設置したが、これに限るものではなく、例えば、切り替えスイッチ２０７を電源スイッチと同様な構成とすることも可能であり、また本体の加熱範囲のエリア数を増やすことにより温度調整をおこなうスライド抵抗と抵抗操作つまみの数を３個以上にした場合にも同様の効果を得ることができる。
【産業上の利用可能性】
【００８１】
以上のように、本発明にかかる電気採暖具のコントローラは、操作開口からの水の浸入を防止することが可能となるので、電気採暖具以外の電気機器のコントローラ等の用途にも適用できる。
【符号の説明】
【００８２】
１００  電気採暖具
２００  コントローラ
２０３  電源スイッチ（操作機器）
２０４  第１スライド抵抗（操作機器）
２０５  第２スライド抵抗（操作機器）
２１０  スイッチ操作つまみ（操作つまみ）
２１４、２２４、２３４  閉塞部
２２０  第１抵抗操作つまみ（操作つまみ）
２３０  第２抵抗操作つまみ（操作つまみ）
３００  ケース
３１２  スイッチ操作開口（操作開口）
３１３  第１抵抗操作開口（操作開口）
３１４  第２抵抗操作開口（操作開口）
３２２  防水リブ
【図１】
0005828130.tif 000002
【図２】
0005828130.tif 000003
【図３】
0005828130.tif 000004
【図４】
0005828130.tif 000005
【図５】
0005828130.tif 000006
【図６】
0005828130.tif 000007
【図７】
0005828130.tif 000008
【図８】
0005828130.tif 000009
【図９】
0005828130.tif 000010
【図１０】
0005828130.tif 000011
【図１１】
0005828130.tif 000012
【図１２】
0005828130.tif 000013
【図１３】
0005828130.tif 000014
【図１４】
0005828130.tif 000015
【図１５】
0005828130.tif 000016